(57)【要約】【課題】主に、少なくとも２個以上の個包装体を、一体にシュリンク包装してなる集積包装体において、該集積包装体を強固かつ安定して持ち運び可能とした集積包装体および集積包装体の持ち手を提供することである。【解決手段】上記課題を解決するため、本発明の請求項１記載の発明は、少なくとも２個以上の個包装体を積み重ね若しくは並べて、一体にシュリンク包装してなる集積包装体において、前記シュリンク包装に用いるシュリンクフィルムに、帯状のフィルムからなる持ち手を一体に熱溶着したことを特徴とする、集積包装体および集積包装体の持ち手である。【選択図】図１
2008260553.tif 000002
【特許請求の範囲】
【請求項１】
少なくとも２個以上の個包装体を積み重ね若しくは並べて、一体にシュリンク包装してなる集積包装体において、前記シュリンク包装に用いるシュリンクフィルムに、帯状のフィルムからなる持ち手を一体に熱溶着したことを特徴とする、集積包装体および集積包装体の持ち手。
【請求項２】
少なくとも前記持ち手の両端部分を、前記持ち手となる箇所の前記集積包装体の一面を除く前記集積包装体へ、前記持ち手となる箇所の前記集積包装体の一面へたるみをつけた状態で、一体に熱溶着したことを特徴とする、請求項１記載の集積包装体および集積包装体の持ち手。
【請求項３】
前記持ち手は、前記集積包装体の外周長より長い環状の持ち手であって、少なくとも前記持ち手の両端部分を、前記持ち手となる箇所の前記集積包装体の一面へたるみをつけた状態で、一体に熱溶着したことを特徴とする、請求項１乃至２記載の集積包装体および集積包装体の持ち手。
【請求項４】
前記持ち手は、折りたたんだ状態で、前記シュリンクフィルムへと一体に熱溶着したことを特徴とする、請求項１乃至３記載の集積包装体および集積包装体の持ち手。
【請求項５】
前記持ち手にバーコード表示部を形成したことを特徴とする、請求項１乃至４記載の集積包装体および集積包装体の持ち手。
【請求項６】
前記持ち手に切り込みを形成したことを特徴とする、請求項１乃至５記載の集積包装体および集積包装体の持ち手。
【請求項７】
前記切り込みは、前記持ち手の対向する箇所にそれぞれ形成したことを特徴とする、請求項１乃至６記載の集積包装体および集積包装体の持ち手。
【発明の詳細な説明】
【技術分野】
【０００１】
本発明は、少なくとも２個以上の個包装体を、一体にシュリンク包装してなる集積包装体に関し、該集積包装体を強固かつ安定して持ち運び可能とした集積包装体および集積包装体の持ち手に関する。
【背景技術】
【０００２】
従来、スーパーマーケット等で、食品等を個別包装（個包装）した個包装体を複数積み重ね、別個の包装袋に収容する、若しくはシュリンク包装することにより形成された集積包装体が知られている。例えば、トレイ容器に個別包装した米飯等の冷蔵食品３個を一体にピロー包装し、別途、バーコード表示ラベルを貼付した集積包装体や、缶ビール等の缶飲料６本を一体にシュリンク包装あるいは板紙ホルダーで包装した集積包装体等が挙げられる。
【０００３】
このような集積包装体は、販売者にとっては販売量を増やすことが可能な利点があり、他方、消費者にとっても、一個当りの購入価格が安くなるという利点がある。さらには、個々では持ちにくい缶飲料なども、複数個を一体化した集積包装体により、一度に複数の缶飲料を持ち運ぶことができまとめ買いに便利である。
【０００４】
しかしながら、複数の包装体を一体に包装するシュリンク包装は、タイトに仕上がる利点がある反面、集積包装体を持ち運ぶ際に、集積包装体を持つためのきっかけがなく、持ち運びが不便であるという問題があった。
【０００５】
このため、集積包装体を持ち運ぶための持ち手を、テープ、ひも等によるバンド掛けを施す、或いはシュリンク包装後に持ち手の取り付け作業を行なうため、持ち手の形成に手間がかかる、コスト高であるなどの欠点がある。
【発明の開示】
【発明が解決しようとする課題】
【０００６】
本発明は、このような問題点を解決するためになされたものであり、その課題は、少なくとも２個以上の個包装体を、一体にシュリンク包装してなる集積包装体において、該集積包装体を強固かつ安定して持ち運び可能な持ち手を形成した集積包装体および集積包装体の持ち手を提供することである。
【課題を解決するための手段】
【０００７】
上記課題を解決するため、本発明の請求項１記載の発明は少なくとも２個以上の個包装体を積み重ね若しくは並べて、一体にシュリンク包装してなる集積包装体において、前記シュリンク包装に用いるシュリンクフィルムに、帯状のフィルムからなる持ち手を一体に熱溶着したことを特徴とする、集積包装体および集積包装体の持ち手である。
【０００８】
また、請求項２記載の発明は、少なくとも前記持ち手の両端部分を、前記持ち手となる箇所の前記集積包装体の一面を除く前記集積包装体へ、前記持ち手となる箇所の前記集積包装体の一面へたるみをつけた状態で、一体に熱溶着したことを特徴とする、集積包装体および集積包装体の持ち手である。
【０００９】
また、請求項３記載の発明は、前記持ち手は、前記集積包装体の外周長より長い環状の持ち手であって、少なくとも前記持ち手の両端部分を、前記持ち手となる箇所の前記集積包装体の一面へたるみをつけた状態で、一体に熱溶着したことを特徴とする、集積包装体および集積包装体の持ち手である。
【００１０】
また、請求項４記載の発明は、前記持ち手は、折りたたんだ状態で、前記シュリンクフィルムへと一体に熱溶着したことを特徴とする、集積包装体および集積包装体の持ち手である。
【００１１】
また、請求項５記載の発明は、前記持ち手にバーコード表示部を形成したことを特徴とする、集積包装体および集積包装体の持ち手である。
【００１２】
また、請求項６記載の発明は、前記持ち手に切り込みを形成したことを特徴とする、集積包装体および集積包装体の持ち手である。
【００１３】
また、請求項７記載の発明は、前記切り込みは、前記持ち手の対向する箇所にそれぞれ形成したことを特徴とする、集積包装体および集積包装体の持ち手である。
【発明の効果】
【００１４】
本発明の請求項１記載の発明は、少なくとも２個以上の個包装体を積み重ね若しくは並べて、一体にシュリンク包装してなる集積包装体において、前記シュリンク包装に用いるシュリンクフィルムに、帯状のフィルムからなる持ち手を一体に熱溶着したことを特徴とするから、使用時において、前記シュリンクフィルムに形成された前記持ち手を用いて、簡単に集積包装体を持ち運ぶことが可能である。
【００１５】
また、請求項２記載の発明は、少なくとも前記持ち手の両端部分を、前記持ち手となる箇所の前記集積包装体の一面を除く前記集積包装体へ、前記持ち手となる箇所の前記集積包装体の一面へたるみをつけた状態で、一体に熱溶着したことを特徴とするから、長い帯状の持ち手に手指を入れて集積包装体を強固かつ安定して持ち運ぶことが可能である。
【００１６】
また、請求項３記載の発明は、前記持ち手は、前記集積包装体の外周長より長い環状の持ち手であって、少なくとも前記持ち手の両端部分を、前記持ち手となる箇所の前記集積包装体の一面へたるみをつけた状態で、一体に熱溶着したことを特徴とするから、前記持ち手をさらに強固に前記シュリンクフィルムへと取り付けることが可能である。よって、集積包装体の前記持ち手に手指を入れて安定して持ち運ぶことが可能である。
【００１７】
また、請求項４記載の発明は、前記持ち手は、折りたたんだ状態で、前記シュリンクフィルムへと形成したことを特徴とするから、折りたたまれた持ち手を、使用時において拡げることにより、簡単に集積包装体の持ち手を形成することが可能である。
【００１８】
また、請求項５記載の発明は、前記持ち手にバーコード表示部を形成したことを特徴とするから、集積包装体の専用バーコードを目立つ位置に設けることが可能であり、誤って個包装体のバーコードを読み取ってしまうことを防止することが可能である。
【００１９】
また、請求項６記載の発明は、前記持ち手に切り込みを形成したことを特徴とするから、前記切り込み部分に指先を掛けて、集積包装体を強固かつ安定して保持することが可能である。
【００２０】
また、請求項７記載の発明は、前記切り込みは、前記持ち手の対向する箇所にそれぞれ形成したことを特徴とするから、前記持ち手の対向する箇所に前記切り込みからなる貫通孔が形成されるため、指先を貫通孔に挿入して、集積包装体を強固かつ安定して保持することが可能である。
【発明を実施するための最良の形態】
【００２１】
本発明に係る集積包装体１０および集積包装体１０の持ち手３の一例としては、図１に示すように、商品を個別に包装してなる個包装体１を複数（５つ）積み重ねた状態で、シュリンクフィルム２（熱収縮性フィルム２）で集積包装体１０の外周部分をスリーブ状に包んだ状態でシュリンク包装してなる集積包装体１０であって、該集積包装体１０に形成された前記持ち手３は、前記集積包装体１０の左右側面に熱溶着Ｈ（ヒートシールＨ）により溶着されている。
【００２２】
特に、前記持ち手３は、前記集積包装体１０の最上段に位置する個包装体１の上面部分を覆うようにして形成されており、後述する、前記持ち手３が略Ｎ字状に折りたたまれることにより、使用時において、持ち手３を拡げて簡単に集積包装体１０の持ち手３を形成することが可能である。このように、持ち手３を略Ｎ字状に折りたたむことにより、使用前においては、持ち手３をコンパクトに折りたたむことが可能であり、使用時において、簡単に持ち手３を形成することが可能である。
【００２３】
また、前記持ち手３には、湾曲形状の切り込み４が形成されており、後述する、前記切り込み４に指先を掛けて、若しくは前記切り込み４に指先を挿入して、前記集積包装体１０を強固かつ安定して保持することが可能である。
【００２４】
以下に、本発明の集積包装体１０に係る、個別の包装体（個包装体１）の一例について説明する。
前記個包装体１の一例としては、電子レンジ用の常温流通若しくは冷蔵食品（包装米飯）等であって、消費者は個包装体１を電子レンジ等を用いて加熱することにより、簡単に食品を調理することが可能である。このような個包装体１は、図２（ａ）に示すように、トレイ２０の内部に、予め前記トレイ２０と略同形状をもって形成された食品３０を収容し、バーコードｂや商品情報の印刷が施された天面フィルム４０を、前記トレイ２０の上縁に沿ってヒートシールｈすることにより、図２（ｂ）に示すように、個包装体１を形成するものである。
【００２５】
通常、このような常温流通若しくは冷蔵食品等の個包装体１は、複数個をまとめて購入する傾向があり、このため、個包装体１を複数積み重ねた状態で、シュリンク包装を施し、３個パックや５個パックなどの形態で販売することが多い。しかしながら、複数個の個包装体１を、単にシュリンク包装で包んだ状態で販売することが多く、集積包装体１０を持ち運びづらいという問題がある。
【００２６】
このため、手で持てる程度の大きさからなる集積包装体１０とするために、商品を３個程度積み重ねて集積包装体を形成する場合がほとんどであり、集積包装体１０の大きさや重量などの持ち運び上の理由から、さらに複数個の商品（個包装体１）を一体化することが困難であった。
【００２７】
本発明は、このような問題点を解決するためになされたものであり、予め前記集積包装体１０に帯状のフィルムからなる持ち手３を前記シュリンクフィルム２と一体に熱溶着することにより、複数個の個包装体１を積み重ねてなる大きく重量の重い集積包装体１０であっても持ち運びの容易な集積包装体１０を提供することが可能である。
【００２８】
次に、本発明の前記集積包装体１０および集積包装体１０の前記持ち手３の一例について説明する。
集積包装体１０に形成される前記持ち手３は、図３に示すように、予め、商品情報や集積包装体の専用バーコードＢが印刷された前記持ち手３の両端部分を、前記シュリンクフィルム２へとヒートシールＨにより熱溶着している。
【００２９】
特に、前記持ち手３は、予め略Ｎ字状５に折りたたんだ状態で、前記シュリンクフィルム２へと、ヒートシールにより熱溶着されており、前記持ち手３の取り付け方法の一例としては、前記持ち手３と前記シュリンクフィルム２との間に、ドーム形状の湾曲部分を有する治具を挟み込み、前記持ち手３を片側へたるみをつけて重ね合わせた状態で、前記持ち手３の両端部分をシュリンクフィルム２へとヒートシールで溶着することにより、前記シュリンクフィルム２と前記持ち手３とを一体に形成することが可能である。
【００３０】
そして、前記持ち手部分３が、複数の個包装体１のうち最上段の個包装体１の上面に位置するように、前記シュリンクフィルム２で複数の個包装体１を覆い、図示しない加熱フードを通過させてシュリンク包装を施すことにより、図４に示すように、本発明の集積包装体１０を形成することが可能である。
【００３１】
特に、集積包装体１０に形成された前記持ち手３は、略Ｎ字状５に折り畳まれるとともに、前記持ち手３によって、最上段の個包装体１のバーコード部分ｂが覆い隠されている。よって、商品（集積包装体１０）の購入時において、前記略Ｎ字状５に折りたたまれた持ち手部分３をつまみ持ち上げることにより、図５に示すように、持ち手３が拡がるとともに簡単に持ち手部分３を形成することが可能である。
【００３２】
さらには、前記持ち手３に形成された前記切り込み４に指先を掛けて、複数の個包装体１からなる集積包装体１０を強固かつ安定して持ち運ぶことが可能である。また、レジにおいて、前記持ち手３に形成された専用バーコードＢを確実に読み取ることが可能であり、誤って個包装体１のバーコードｂを読み取ってしまうことを防ぐことが可能である。
【００３３】
以上のように、本発明の集積包装体１０および集積包装体１０の持ち手３は、シュリンク包装のためのシュリンクフィルム２に、持ち手３の両端部分を熱溶着してなる簡単な構成により、使用時において前記持ち手３を拡げて、簡単に集積包装体１０の持ち手部分３を形成することが可能である。そして、前記持ち手３を用いて、複数の個包装体１をまとめて包装してなる前記集積包装体１０を、強固かつ安定して持ち運びすることが可能である。
【００３４】
また、少なくとも前記持ち手３の両端部分を、持ち手３となる箇所の前記集積包装体１０の一面を除く、前記集積包装体１０へとヒートシールして溶着することにより、長い帯状の持ち手３からなる持ち手３を形成し、集積包装体１０を強固かつ安定して持ち運ぶことが可能であり、さらには、前記持ち手３は略Ｎ字状５に折りたたんだ状態で、前記シュリンクフィルム２に形成されるから、前記持ち手３をコンパクトに折りたたむことが可能であるとともに、使用時において略Ｎ字状５に折りたたまれた持ち手３を拡げることにより、簡単に集積包装体１０の持ち手３を形成することが可能である。
【００３５】
また、前記持ち手３にバーコードＢ表示を形成したことを特徴とするから、集積包装体１０の専用バーコードＢを目立つ位置に設けることが可能であり、さらには、前記持ち手３により、前記個包装体１に形成されたバーコードｂ部分を覆い隠すことが可能であり、誤って個包装体１のバーコードｂを読み取ってしまうことを防止することが可能という効果がある。
【００３６】
また、前記集積包装体１０の前記持ち手３に、切り込み４を形成したことを特徴とするから、前記切り込み部分４に指先を掛けて集積包装体１０を強固かつ安定して保持することが可能であるとともに、前記切り込み４は、前記持ち手３の対向する箇所にそれぞれ形成されることにより、前記持ち手３の対向する箇所に前記対向する切り込み４からなる貫通孔が形成されるため、指先を貫通孔に挿入して、集積包装体１０を強固かつ安定して保持することが可能である。
【００３７】
本発明の集積包装体１０および集積包装体の持ち手３は、上記例に限らず、例えば、個包装体１として缶飲料１などを想定して前記集積包装体１０および前記持ち手３を形成してもよい。
【００３８】
この場合の一例としては、図６に示すように、複数（６個）の個包装体１を横２列に並べた状態で、前記個包装体１の図示しないバーコードが形成されている側面部分を覆う位置へと前記シュリンクフィルム２に形成された前記持ち手３を配置し、個包装体１の全体を前記シュリンクフィルム２で包み込むようにして、シュリンク包装を施す。
【００３９】
特に、缶飲料１は個々の重量が重く、複数の缶飲料１をまとめて包装した集積包装体１０は、さらに重量が重くなってしまう。このため、本発明の集積包装体１０においては、持ち手３を前記シュリンクフィルム２へとヒートシールＨして一体に熱溶着することにより、持ち手３が簡単に外れてしまうことを防ぎ、持ち手３をシュリンクフィルム２へと一体かつ強固に形成することが可能である。
【００４０】
さらには、たとえ重量の重い集積包装体１０であっても、図７に示すように、幅広な持ち手３をつかみ、若しくは腕等を挿入して、集積包装体１０を持ち運ぶことが可能であり、重量が重い集積包装体１０を、手や指先を痛めることなく安定して持ち運ぶことが可能である。
【００４１】
また、ビールなどの缶飲料の個包装体１は、通常、６個の個包装体１を横２列に配置した状態で紙包装を施すことにより集積包装体１０を形成した後、大きな段ボールケースＤへと４組の集積包装体１０を収容し流通する場合が多い。
【００４２】
この場合、段ボールケースＤに収容された集積包装体１０の使用時、段ボールケースＤの側面部分を開封した後、個々の集積包装体１０を取り出す必要があるが、本発明の集積包装体１０は、図８に示すように、集積包装体１０の側面部分に形成された持ち手部分３を持ち、個々の集積包装体１０を段ボールケースＤから容易に引き出すことが可能である。
【００４３】
以上のように、本発明の集積包装体１０および集積包装体１０の持ち手３は、シュリンク包装のためのシュリンクフィルム２に、持ち手３の両端部分を熱溶着する簡単な構成により、使用時において前記持ち手３を拡げて、簡単に集積包装体１０の持ち手部分３を形成することが可能である。そして、前記持ち手３を用いて、複数の個包装体１をまとめて包装してなる前記集積包装体１０を、強固かつ安定して持ち運びすることが可能である。
【００４４】
前記持ち手３は、上記例に限らず、例えば、図９に示すように、持ち手３が、集積包装体１０の外周長（持ち手３部分の集積包装体１０の外周長）より長い環状の持ち手３であってもよく、持ち手３を集積包装体１０の側面部分や、図示しない底面部分に、複数個所ヒートシールＨを施してシュリンクフィルムと一体に熱溶着してもよい。
【００４５】
そして、前記持ち手３は、前記集積包装体１０の外周長より長い環状の持ち手３であって、少なくとも前記持ち手３の両端部分を、前記持ち手３となる箇所の前記集積包装体１０の一面を除く、前記集積包装体１０へヒートシールして溶着することにより、さらに複数個の個包装体１を一体に形成してなる集積包装体１０や、重量の重い集積包装体１０であっても、持ち手３がシュリンクフィルム２から外れてしまうことなく、さらに強固に持ち手３をシュリンクフィルム２へと取り付けることが可能である。
【００４６】
何れにせよ、前記持ち手３は、持ち手３となる箇所以外の集積包装体１０の面に、ヒートシールＨを施して溶着することが必須であり、少なくとも持ち手３となる箇所を除く両端部分にヒートシールＨを施すことが望ましい。
【００４７】
このように、前記持ち手３を前記シュリンクフィルム２へとたるませて形成することにより、集積包装体１０を持ち運ぶ際に手指がかかりやすい効果がある。また、製造上、加熱処理条件にバラつきがあっても安定して手指のかかる隙間を確保することが可能である。
【００４８】
本発明の集積包装体１０は、シュリンクフィルム２と持ち手３の双方に印刷を施すことが可能であり、高意匠性を有する集積包装体１０を形成することが可能である。他方、シュリンクフィルム２を透明無地とし、持ち手３にのみ印刷を施すことにより集積包装体１０の集積包装をより効果的に印象付けることが可能である。また、持ち手３に印刷を施すことにより、個包装体１のバーコードｂを隠し、集積包装体１０の専用バーコードＢを確実に識別することが可能であり誤操作を防止することが可能である。
【００４９】
前記集積包装体の前記シュリンクフィルムによる包装形態としては、上述した複数の個包装体を筒状に包み前記集積包装体を形成する形態（スリーブ状の包装）のみならず、従来のトイレットペーパーや紙おむつなどの、前記複数の個包装体を全体的に包みこみ前記集積包装体を形成する形態（ピロー包装、ガセット包装）など、複数の個包装体をシュリンクフィルムにより包装する形態は、特に限定されることなく、最適な包装形態を適宜用いればよい。
【００５０】
前記シュリンクフィルム２および前記持ち手３のフィルムとしては、前記シュリンクフィルムは、主にプラスチックフィルムを主体とする単層フィルムないしは積層フィルムが用いられ、前記持ち手のフィルムは、積層フィルムや未延伸単層フィルムを適宜用いることができる。
【００５１】
前記積層フィルムの一例としては、２軸延伸熱収縮性線状飽和ポリエチレンフィルムなどを用いてもよく、前記持ち手３に手指の入る隙間を持たせるため、無延伸ポリオレフィンフィルム、紙、合成紙、ポリエチレンテレフタレートフィルム等の、通常の包装フィルムを用いても良い。この場合、持ち手３を熱溶着させるよう表側に同材質のポリオレフィンフィルムを積層するか、或いは同材質の塗工層を設けることがより望ましい。なお、前記持ち手３は、前記集積包装体を吊るだけの強度を持たせるため、２０〜１５０μｍの厚みを有する未延伸ポリオレフィンフィルムを用いることが望ましく、さらには、耐寒強度等を考慮した場合、５０〜８０μｍの未延伸ポリエチレンフィルムを用いることがなお望ましい。
【００５２】
また、集積包装体１０に、ミシン目加工やレーザ加工等を施した破り口（易開封手段）を形成してもよく、開口箇所には、熱罫、レーザ加工、印刷指示線（色分け）等を施しても良い。
前記持ち手３のフィルム或いは前記シュリンクフィルム２には、集積包装表示の印刷が施されることが望ましく、前記シュリンクフィルム２に集積包装表示を施す場合、前記シュリンクフィルムにインクが定着するよう印刷側裏面はコロナ処理等の処理層を持つことがより好ましく、前記持ち手３を無地、或いは持ち手３を示すため単色のフィルムとしてもよい。持ち手３が無地、若しくは単色の場合、持ち手３の位置が判別しやすいように、持ち手３に１ないし２色の罫書き線或いは塗りつぶしを施しても良い。
【００５３】
本発明の集積包装体１０を構成する個包装体１の一例としては、常温流通食品、或いは冷蔵食品や冷凍食品のみならず缶飲料やパックジュース、さらには、ティッシュペーパーボックス、ボトル状の飲料やボトル状のシャンプーやリンス、インスタントコーヒー、インスタントラーメンなど、複数の個包装体１を一体にした集積包装体１０を形成することが可能な包装体１であれば、個包装体１の形状や種類は限定されるものではない。
【図面の簡単な説明】
【００５４】
【図１】本発明の集積包装体および持ち手の一例を示す説明図である。
【図２】（ａ）（ｂ）個包装体の一例を示す説明図である。
【図３】集積包装体および持ち手を示す説明図である。
【図４】本発明の集積包装体および持ち手を示す説明図である。
【図５】本発明の集積包装体および持ち手の使用例を示す説明図である。
【図６】本発明の集積包装体および持ち手の別の例を示す説明図である。
【図７】本発明の集積包装体および持ち手の使用例を示す説明図である。
【図８】本発明の集積包装体および持ち手の使用例を示す説明図である。
【図９】本発明の集積包装体および持ち手のさらに別の例を示す説明図である。
【符号の説明】
【００５５】
１  個包装体
２  シュリンクフィルム（熱収縮性フィルム）
３  持ち手（持ち手部分）
４  切り込み（切り込み部分）
５  Ｎ字状の持ち手部分
１０  集積包装体
２０  トレイ
３０  内容物（食品）
４０  天面フィルム
Ｈ  ヒートシール（熱溶着）
ｈ  個包装体のヒートシール
Ｂ  バーコード（専用バーコード）
ｂ  個包装体のバーコード
【図１】
2008260553.tif 000003
【図２】
2008260553.tif 000004
【図３】
2008260553.tif 000005
【図４】
2008260553.tif 000006
【図５】
2008260553.tif 000007
【図６】
2008260553.tif 000008
【図７】
2008260553.tif 000009
【図８】
2008260553.tif 000010
【図９】
2008260553.tif 000011